(57)【要約】【課題】  ある地域に建物等が新築されても、管路工事があっても、その環境変化の状況に応じた水運用の管理ができるシステムを得る。【解決手段】  管路図のブロック内において建物が建てられた場合や又は建物が無くなった場合、配管工事を行った場合等の環境変化があった場合は、その環境変化の状況に応じて前述の流量監視点を境とした新たなブロックを生成する。  このブロックの生成は、地中に網目のように埋設された管網を管体に外付けできる超音波流量計を任意の位置（節点、マンホール内又は消火栓が好ましい）に設置し、この設置位置を新たな流量監視点としてブロックの管網に定義する。  そして、各監視点を通過する水の流量・流向の総和で、ブロック内水需要量、夜間最小流量等を計測し、過去のこのブロックの計測結果との比較でブロック別に漏水可能性を診断する。【選択図】      図１
2005149280.tif 000002
【特許請求の範囲】
【請求項１】
配水池からの水を管路を介して水を供給するための管路網にブロックを重ねて画面に表示し、該ブロック毎に水運用の状況を知らせる水運用管理システムにおいて、
前記ブロックに水を入れるための注入用管路及び前記ブロックから水を出すための流出用管路には、流量、音を検出するためのセンサがそれぞれ設けられ、
コンピュータに、
メモリに保存されている緯度、経度に対応するＸＹ座標及び標高が割り付けられ、かつ前記ブロックを重ねた管路図及び該管路図の管路の基本データ並びに前記管路のセンサの測定データを内部に読み込む手段と、
前記管路の基本データ及び前記ブロックの周囲の前記センサの測定データからブロック内の時刻々の圧力を求める手段と、
前記画面の管路図と前記保存されている管路図と比較し、管路が追加、削除、修正された箇所の座標を検出し、この検出範囲を前記画面座標に変換して表示する手段と、
前記検出された箇所が含む前記画面の管路図上のエリアが指定されたとき、該エリアの座標を前記管路図に基づいて算出してメモリに保存し、この算出したエリアの圧力の分布を前記ブロック内の管路の基本データから求める手段と、
前記エリアの圧力を、該エリアに接する近傍のブロックに割り当て、適正な圧力値を有するブロックを前記管路図上に求める手段と、
前記適正の圧となるブロックを求めたとき、該ブロックの軌跡内の画面のドットを色別表示させる手段と、
前記ブロックの軌跡の変更を受付け、該変更するブロックの軌跡を前記画面の管路上の座標で求めてメモリに保存し、この変更ブロックの軌跡に対応する前記メモリの前回のブロックの軌跡を、前記受付時の軌跡に更新する手段と、
前記ブロックの軌跡の更新に伴って、この更新されたブロック間を接続する管路を前記メモリの管路図から特定し、該特定した管路上の座標に前記センサのシンボルを割り付けて、表示させる手段と
を有することを特徴とする水運用管理システム。
【請求項２】
前記ブロックに水を入れるための注入用管路及び前記ブロックから水を出すための流出用管路には、流量、音を検出するためのセンサがそれぞれ設けられ、
コンピュータに、
前記管路のセンサの測定データに基づく流量変化を蓄積し、この蓄積データと過去の流量変化の平均量との差分と、前記ブロック内の漏水の有無を判定すると共に漏水があったときは前記差分を漏水量として画面に表示する手段と
を有することを特徴とする請求項１記載の水運用管理システム。
【請求項３】
前記センサーの測定データの音データを読み、これらの音データを前記センサーの位置に基づいて前記ブロックに割り当て、該ブロック内の音が一定レベル以上超えたとき、前記ブロックの各管路の基本データに基づいて漏水が発生して漏水管路を前記管路図上で特定する手段と、
前記特定した漏水管路を画面に色別表示させる手段と
を有することを特徴とする請求項１又は２記載の水運用管理システム。
【発明の詳細な説明】
【技術分野】
【０００１】
本発明は、水運用を管理するためブロック内の時刻々の流量、圧力変化を計算し、さらに管路網の最適ブロックの作成することで、環境変化に応じて直ちに最適なブロックを構築できる水運用管理システムに関する。
【背景技術】
【０００２】
水道管は、網の目のように地中に埋設されており、これらの配管路の漏洩は、定期的に、専門の熟練技術者が深夜路面上を満遍なく音聴して、漏洩があるかどうかを判断していた。このような調査は、多大なコストがかかるので例えば以下の方式が提案されている。
【０００３】
例えば、特公平７−３９６７９号公報（特許文献１）は、配水池に連なる無端回路の内側を縦横方向の分岐管路で接続したループ状管網の配水区画において、配水池に連なる配水基部及び無端回路の上記配水基部に近い管路の複数箇所に、正常な流れ（正の流れ）及び逆流（負の流れ）の流量を測定するために超音波流量計を配設し、無端回路及び分岐管路の配水基部から離れた所要箇所に流路を閉可能な開閉弁を配設してなる水道施設におけるループ状管網型配水区画である。
【０００４】
また、特開２００２−１３３０４４号公報（以下特許文献２）の段落０１２１には、測定した水圧値に基づいてブロック化を検討すると記載され、現状の水圧又は水質分布をブロックした場合又は流入点箇所を変更した場合の水圧・水質分布を表示する。それによってブロック化に向けたバルブ操作等を検討すると記載している。
【０００５】
さらに、特開平７−２９００４０号公報（特許文献３）は、各管路の基準データ、流速データと、水源の配水量を各節点に繋がる水栓の過去の水量データとからなる入力モデルを生成して、所定の計算式に基づいて残留塩素濃度を計測している。
【０００６】
また、特開平１１−１４４１７６号公報（特許文献４）の段落００３２には、大ブロック水量計が取り付けられた管路９によって各需要化に飲料水を供給する管網を行政地域別に区切って大ブロックを作成し、各大ブロック内を標高別の地域、用途別地域又は節点毎に各需要家を割り付けた地域に区切って複数の小さいブロックを作成すると記載されている。
【特許文献１】特開平７−３９６７９号公報
【特許文献２】特開２００２−１３３０４４号公報
【特許文献３】特開平７−２９００４０号公報
【特許文献４】特開平１１−１４４１７６号公報
【発明の開示】
【発明が解決しようとする課題】
【０００７】
しかしながら、上記の文献２は、水圧に基づいてブロック化するものであり、住宅の新築、減少等に対しての環境変化に対応した最適ブロックを生成するものではない。
【０００８】
また、文献４は、ブロックを行政別、地域別、用途別、標高別に、作成するものであり、作成したブロックは固定である。このため、例えば住宅の新築、減少等に対しての環境変化に対応したブロックではないので、余分なエリアの流量、流音を作業員が測定してあるくことになるからコスト高になるという課題があった。
【０００９】
本発明は上記課題を鑑みてなされたものであり、ある地域に建物等が新築されても、管路工事があっても、その環境変化の状況に応じた水運用の管理ができるシステムを得ることを目的とする。
【課題を解決するための手段】
【００１０】
本発明の水運用管理システムは上記課題を解決するために、水運用管理システムは、配水池からの水を管路を介して水を供給するための管路網にブロックを重ねて画面に表示し、該ブロック毎に水運用の状況を知らせる水運用管理システムにおいて、前記ブロックに水を入れるための注入用管路及び前記ブロックから水を出すための流出用管路には、流量、音を検出するためのセンサがそれぞれ設ける。
【００１１】
そして、コンピュータに、メモリに保存されている緯度、経度に対応するＸＹ座標及び標高が割り付けられ、かつ前記ブロックを重ねた管路図及び該管路図の管路の基本データ並びに前記管路のセンサの測定データを内部に読み込む手段と、前記管路の基本データ及び前記ブロックの周囲の前記センサの測定データからブロック内の時刻々の圧力を求める手段と、前記画面の管路図と前記保存されている管路図と比較し、管路が追加、削除、修正された箇所の座標を検出し、この検出範囲を前記画面座標に変換して表示する手段と、前記検出された箇所が含む前記画面の管路図上のエリアが指定されたとき、該エリアの座標を前記管路図に基づいて算出してメモリに保存し、この算出したエリアの圧力の分布を前記ブロック内の管路の基本データから求める手段と、前記エリアの圧力を、該エリアに接する近傍のブロックに割り当て、適正な圧力値を有するブロックを前記管路図上に求める手段と、前記適正の圧となるブロックを求めたとき、該ブロックの軌跡内の画面のドットを色別表示させる手段と、前記ブロックの軌跡の変更を受付け、該変更するブロックの軌跡を前記画面の管路上の座標で求めてメモリに保存し、この変更ブロックの軌跡に対応する前記メモリの前回のブロックの軌跡を、前記受付時の軌跡に更新する手段と、前記ブロックの軌跡の更新に伴って、この更新されたブロック間を接続する管路を前記メモリの管路図から特定し、該特定した管路上の座標に前記センサのシンボルを割り付けて、表示させる手段とを備えたことを要旨とする。
【発明の効果】
【００１２】
以上のように本発明によれば、ブロックで区切られた管路図における管路の追加、削除、修正があったときは、このエリア内の管路の基本データに基づいてエリアの圧を求め、このエリアの圧を近傍のブロックに割り当て、適正圧となるブロックを求めて、ブロックを修正させるようにしたことにより、ある地域に建物等が新築されても、管路工事があっても、その環境変化の水管の圧の状況に応じた適正ブロックを得るので、環境の変化に応じたブロックだけを検査することになる。このため、コストを低減できる。
【発明を実施するための最良の形態】
【００１３】
＜実施の形態１＞
図１は本実施の形態１の水運用管理システムの概略構成図であり、コンピュータ１により、管路図のブロック内において建物が建てられた場合や又は建物が無くなった場合、配管工事を行った場合等の環境変化があった場合は、その環境変化の状況に応じて前述の流量監視点を境とした新たなブロックを生成する。
【００１４】
このブロックの生成は、地中に網目のように埋設された管網を管体に外付けできる超音波流量計を任意の位置（節点、マンホール内又は消火栓が好ましい）に設置し、この設置位置を新たな流量監視点としてブロックの管網に定義する。
【００１５】
そして、各監視点を通過する水の流量・流向の総和で、ブロック内水需要量、夜間最小流量等を計測し、過去のこのブロックの計測結果との比較でブロック別に漏水可能性を診断する。
【００１６】
また、漏水可能性の高いブロックを対象に、管路の弁栓に設置した自動漏水音検知器による漏水の有無の判別と、ブロック単位の漏水発生件数、復元漏水率、管路の敷設年度、耐用年数に基づいて、ブロック内管路の危険度の評価を行い、配管路網図（住宅地図付き）に、危険度に応じた色別表示することで、漏水調査及び対策の効率化とコスト低減を図る。
【００１７】
さらに、ブロック内において水の流量、流向、水圧の変化、残塩濃度分布、停滞水の分布、赤水発生分布を分析して知らせる。
【００１８】
さらに、ブロック内をメッシュ化（一定の大きさの格子で区切る）し、このメッシュ内の流量を表示して、必要に応じて再度のブロック化を行う。
【００１９】
このようなことを実現するために図１に示すように、測定データ整理部１０と、ブロック別圧力算出部１１と、ブロック内管路危険度評価部１２と、ブロック色別表示部１３と、ブロック修正部１４等を備えている。
【００２０】
また、本実施の形態では、水道管２にセンサ３（流量、方向、音、水圧）を設け、このセンサデータをマンホールの蓋５に設けた発振器４から発射させて、車両６の内部に設置した受信器（図示せず）で収集して、記憶媒体７に保存させ、この記憶媒体７のセンサデータをコンピュータ１にインストールして収集用データベース２０に保存している。また、シュミレーションを行う場合は収集データは実際のものでなくともよい。さらに、本実施の形態では管路の近傍にセンサである超音波流量計を埋設していることが好ましい。この超音波流量計は、アンテナを有し、管路を流れる流量（一定時間当たり）を超音波で計測し、これをアンテナ（アンテナは合成樹脂材によって包まれ、端部がアスファルトの表面又はマンホールの表面に出る）から発射させている。
【００２１】
また、座標が割り付けられた住宅地図Ａｉと、節点と管路と自動漏水音検知器等からなる管路網図Ｂｉ（ベクトルデータ）と、管路網図Ｂｉを所定区域毎に分けたブロック図とレイヤ構造で記憶した水道管図用のデータベース２１を備えている。
【００２２】
さらに、各ブロックＤｉの管の基本データを線番号、マンホール番号に対応させて保存したブロック内配管情報用のデータベース２２を備えている。
【００２３】
測定データ整理部１０は、収集用データベース２０に保存されたセンサデータ（マンホール番号、年月日、時刻、測定データ（流量、方向、音、水圧））とブロック内配管情報用のデータベース２２に保存されている基本データとリンク付けを行って、収集基本情報用データベース２４にする。
【００２４】
例えば、配管ブロック情報用のデータベース２２のブロック番号、線路番号、マンホール番号等からなる基本データに、測定データを対応させて保存する。
【００２５】
この基本データは、図２に示すように、施設データ（管網データ、管路データ、弁栓データ）とブロックデータ（大ブロック、中ブロック、小ブロック）と、管路更新データ（布設年度、漏水発生回数、復元漏水率、適正水圧、適正流量等）とからなる。
【００２６】
但し、中ブロックデータは図３（ａ）に示すように、中ブロックの注入点（注入、流出）のセンサ番号（超音波流量計、センサ３）が記憶され、これらのセンサ番号に適正圧力、適正流量等（図示せず）が対応させられている。
【００２７】
具体的には図４に示すように、基本データは管路データと節点データ等からなり、管路データは図４（ａ）に、管路名、始節点、終節点、需要量、管種、流速係数、管長、管口等（布設日は図示せず）からなる。また、流量、損失水、流速、残塩減少率等の計算結果も右欄に示している。
【００２８】
また、節点データは、節点名、需要量、標高、Ｘ、Ｙ座標等からなる。そして、計算結果を右欄に記している。
【００２９】
ブロック別圧力算出部１１は、収集基本情報用データベース２４に保存されているブロック番号を読み、このブロック番号Ｄｉを囲むセンサ（超音波流量計、センサ３）のデータ（注入、流出）を読み、ブロック内の圧力を算出する。
【００３０】
この圧力の算出は、ブロック番号Ｄｉにリンク付けされている管路番号の布設年度、管種等及び前述の注入用のセンサ（超音波流量計、センサ３）の流量と流出用のセンサの流量等をパラメータとして、一管路毎に圧力を求め、その総和の平均を中ブロックの圧力としている。また、中ブロックをさらにメッシュ化（例えば、５０ｍ、１００ｍ、２００ｍ、…）し、この小ブロック内の管路の圧力を求めてもよい。
【００３１】
ブロック内管路危険度評価部１２は、ブロック別圧力算出部１１からのブロック番号と中ブロックの圧力を読み、ブロック番号に対応させられている適正圧力と布設年度、管種からブロック内の危険度を判定する。
【００３２】
また、ブロック内管路危険度評価部１２は、高圧と判定した高圧ブロックが存在する場合は、高圧ブロック内の各管路の流量を読み、この流量と管種（口径、長さ）から管内の圧力を求め、危険な管かどうかを判定し、その管路番号をブロック・管路色別表示部１３に知らせる。
【００３３】
ブロック・管路色別表示部１３は、ブロック番号と危険度とを読み、危険度に応じて色別表示する。例えば危険度が高い場合は赤、危険度が適正な場合は黄色、危険度が低い場合は青で表示させる。また、ブロック内管路危険度評価部１２から危険管路の番号が知らせられると、この管路を色別表示する。例えばピンク色にする。
【００３４】
また、漏水判定部２６から漏水管の番号が知らせられると、その管を紫にして表示させる。
【００３５】
さらに、ブロック別圧力算出部１１から圧力が危険と判定した管路番号とその座標データを読み、危険管路であることを知らせる色で表示させる。
【００３６】
ブロック修正部１４は、修正指示の入力に伴って、画面の修正図（管路網を修正した図）とデータベース２１の管路図Ｂｉとを比較し、修正された管路を抽出する。そして、修正された管路を色別表示し、ブロック内に修正された管路が存在することをオペレータに知らせ、修正（ニュータウン、工事など）エリアがオペレータによって入力されたとき、そのエリア内の圧力、流量などを求め、このエリアが存在することで適正圧力となる近傍のブロックを求め、求めた近傍ブロック番号を知らせる。
【００３７】
オペレータは、修正エリアを含むようなブロックを手入力すると共に、センサ挿入場所を指示する。但し、既に超音波流量計が埋設されている場合は、この超音波流量計の番号を合わせて表示する。
【００３８】
これによって、ブロック修正部１４は、データベース２１のブロックＣｉを、手入力のブロックに順次修正し、データベース２２のブロック番号内のマンホール番号（節点）及びその基本データを修正する。
【００３９】
漏水判定部２６は、収集基本情報用データベース２４に保存された測定データ（管番号、年月日、時刻、流音、流量）を読み、流音、流量から漏水を判定し、漏水と判定した管番号を表示部に表示する。
【００４０】
例えば、ブロックの周囲の注入用の超音波流量計の流量と、流出用の超音波流量計の流量と、ブロック内の需要量（例えば夜間３時；予め保存している）との関係からブロック内における適正流量を求め、この適正流量に対して多くの水がブロックに流れ込んでいる場合は、漏水ブロックと判定し、そのブロック番号をブロック・管路色別表示部１３に知らせる。
【００４１】
また、漏水判定部２６は、漏水ブロック番号が知らせられると、各管路にリンク付けされている超音波流量計の測定データ（データベース２４）と管路付近の需要量とから漏水管を特定する。
【００４２】
例えば、節点を基準にして、この節点に接続されている管路の超音波流量計の流量データと需要量とを読み、一定レベル以上の場合は、その設定で囲まれているブロック内を水漏れブロックと特定し、このブロック内の基本データの布設年度、管径等及びブロック内の超音波流量計の計測データから水漏れ管を特定し、この管の番号、座標をブロック・管路色別表示部１３に知らせる。
【００４３】
＜実施の形態２＞
図５は実施の形態２の水運用管理システムの概略構成図である。１〜２６は図１と同様なものである。
【００４４】
また、実施の形態２の水管理用システムは、ブロックメッシュ化部３０とメッシュ流量バランス計算部３１とを備えている。
【００４５】
ブロックメッシュ化部３０は、ブロック番号が入力される毎に、そのブロック番号（データベース２１のブロックＣｉ）をメッシュ化する。
【００４６】
流量バランス算出部３１は、中ブロックの注入用の超音波流量計の流量と流出用の超音波流量計の流量と予め記憶されている需要量とからブロック毎の適正流量を求める。また、ブロック内のメッシュが指定されたときは、このメッシュ内の流量と需要量とを求めて表示させる。
【００４７】
上記のように構成された実施の形態１と実施の形態２のシステムの動作を図６のフローチャートを用いて以下に説明する。
【００４８】
オペレータはコンピュータ１を操作して希望の地域（区域、町内）の管網データ番号を入力する（Ｓ１）。コンピュータ１に搭載されたＧＩＳソフト（図示せず）は、データベース２１に保存されている管網データ番号の住宅地図、管路図とを重ね合わせて表示し（Ｓ２）、これにブロック図Ｃｉ（初期ブロックともいう）を重ね表示（図７参照）する（Ｓ３）。図７においては、太線が基幹３２であり、○印が接点であり、中太線は幹線の管路、矢印は方向を示している。また、３５ａ〜３５ｎはセンサであり、本実施の形態では超音波流量計としている。
【００４９】
次に、ブロック別圧力算出部１１は、収集基本情報用データベース２４に保存されているブロック番号を読み、このブロック番号Ｄｉにリンク付けされている超音波流量計の測定データを読み、ブロック内の圧力を算出する。
【００５０】
この圧力の算出は、ブロック番号Ｄｉにリンク付けされている管路番号の布設年度、管種等及び前述の圧力データをパラメータとして、一管路毎に求め、その総和の平均を中ブロックの圧力としている。
【００５１】
例えばＢブロックのセンサ３５ｆ（注入）、センサ３５ｉ（注入）、センサ３５ｊ（注入）、センサ３５ｅ（流出）の流量データとＢブロック内の各管路の基本データ（各管の流量、流れ、管口径、管延長、標高、予想需要量（時間帯での予測）等）を読み、各管路の圧力を求め、これらの総和の平均をＢブロック内の圧力として求める。また、各管路の近傍に超音波流量計が埋設されている場合は、これらの流量に基づいて各管路の圧力を求めて総和をとり、これを平均化する。  ブロック・管路色別表示部１３は、ブロック別圧力算出部１１で求められた各ブロック圧を読み、予め記憶されている各ブロックの基準圧と比較して、高圧ブロック、適正ブロック、低圧ブロックを判定し、この判定した色をブロックに割り当て画面に表示する（Ｓ５）。
【００５２】
次に、ブロック内管路危険度評価部１２は、ブロック別圧力算出部１１からのブロック番号にリンク付けされている管路の圧力を読み、この圧力を予め記憶されている管路番号にリンク付けされている管圧とを比較して、危険な管圧になっているかどうかを判定し、危険な管圧のときは、その管を色別表示（管路網の座標を用いる）する（Ｓ６）。従って、どの管が危険な管圧になっているかが一目で分かる。
【００５３】
次に、ブロック修正部１４は、圧力によるブロック修正の入力指示があるかどうかを判定し（Ｓ７）、ブロック修正の入力指示と判定したときは、ブロック修正部１４は、以下に示す処理によってブロックの修正を行い、ブロック修正後に処理を再びステップＳ４に移して、修正した各ブロック内の圧力バランスを計算させる（Ｓ８）。
【００５４】
例えば、画面の修正図とデータベース２１の管路図Ｂｉとを比較し、修正された管路（新設、削除）を抽出して画面に色別表示（新設はミドリ色：図８参照）する。図８においては、修正された管路をオペレータが○で囲っている（修正エリア）。
【００５５】
そして、ブロック修正部１４は、修正（ニュータウン、工事など）エリアがオペレータによって入力されたとき、そのエリア内の管路の基本データを用いて管路の圧力を求め、これらの管路の圧力の総和の平均を修正エリア内の圧力として求める。
【００５６】
次に、修正エリアの近傍のブロックＤｉの圧力を読み、求めた修正エリアの圧が加わっても適正圧力となるブロックを求め、この近傍ブロック番号を知らせる。
【００５７】
本実施の形態ではＥブロックを近傍のブロックとしている。これによって、オペレータは、修正エリアを含むようにＥブロックを修正すると共に、Ｄブロックは修正エリアが含まないように修正する（図９参照）。
【００５８】
これらの修正の軌跡の座標を新たなブロックとして保存し、これらのブロック間を接続する管路に超音波流量計のシンボルマーク（３６ａ）を表示（既に存在している箇所は更新）する。つまり、図３（ｂ）に示すように、ブロックが新たに更新され、４個の超音波流量計で囲むようなブロックの場合は、新たに１個の超音波流量計（図３（ｂ）においては第４の超音波流量計））が追加され、ブロックの軌跡も新たに更新され、かつ配管番号等も追加されることになる。
【００５９】
また、Ａブロックは地域が広く、ブロック内の圧力低下ある場合で、管路を追加して幹線と接続した場合である。この管路の追加によって、圧力が適正圧力になったとしても、地域が広いので、オペレータは図９に示すように、Ａブロックを分けてＦブロックを新たに生成する。このＦブロックの生成によって図９に示すように、ＡブロックとＦブロックとの間には、超音波流量計（３６ｂ、３６ｃ）が表示される。各管路に超音波流量計が埋設されている場合は、この超音波流量計の番号も表示する。
【００６０】
また、流量に基づいてブロックを修正することも可能であり、図１０のフローチャートを用いて説明する。上記と同様に、目的とする地域の管網データ番号を入力して管網図を表示させる。そして、予め設定されている流量ブロックを重ね合わせ表示させる（Ｓ２０、Ｓ２１、Ｓ２２）。
【００６１】
この流量ブロック（初期流量ブロック）は、図７と同様なブロックであり、流量計で囲まれたエリア（複数の町内）をオペレータが設定したもので、エリアは番号と座標とで管理され、管路データがエリア番号にリンク付けされている。
【００６２】
次に、流量バランス計算部３１は、このブロックの過去の需要量（時間毎、期間毎）を読み、この需要量に対するブロックへの流量を計算し、適正流量ブロック、高流量ブロック、低流量ブロックを判定し、これを色別表示させる（Ｓ２３）。
【００６３】
次に、流量バランス計算部３１は、オペレータによってメッシュ単位表示が入力され、かつブロックが指定されたときは、図１１（ａ）に示すように、そのブロックをメッシュ化する。そして、このメッシュにおいて指定されたメッシュの需要量を過去の需要量から求め、かつブロック内の各管路の口径、流れの方向等からメッシュ内の流量を求めて表示する。従って、流量が需要に対して適正かどうかを例えば１００ｍ単位で分かることになる。
【００６４】
次に、ブロック修正部は、ブロック修正の指示が入力し、オペレータによって例えば、図１１（ｂ）に示すように、流量ブロックが修正されたときは、上記と同様に修正されたブロックの軌跡を記憶し、このブロック内の管路データを割り付けると共に、ブロック間に超音波流量計のシンボルマーク３７を表示させる。  次に、流量バランス再計算の入力指示があるかどうかを判定し（Ｓ２６）、入力指示があるときは、処理をステップＳ２３に戻して流量バランス計算を行わせる。また、再計算の入力指示がないときは終了かどうかを判定する（Ｓ２７）。
【００６５】
また、本実施の形態は図１２に示すように、停滞水発生管路特定、流向変化発生管路特定、ブロック内残塩濃度計算処理機能を有している。
【００６６】
この停滞水発生管路特定、流向変化発生管路特定にあたっては、ブロック内の管路付近に超音波流量計を埋没させて置くのが好ましい。
【００６７】
すなわち、図１２に示すように、上記と同様に、目的とする地域の管網データ番号を入力して管網図を表示させる。そして、予め設定されている流量ブロックを重ね合わせ表示させる（Ｓ３１、Ｓ３２、Ｓ３３）。
【００６８】
そして、以下に示す停滞水発生管路特定計算、流向変化発生管路特定計算、残塩濃度計算を行う（Ｓ３５）。
【００６９】
各ブロックの中の管路データを読み、入量に対して出水が規程値より少ない場合（期間、時間を考慮）は、停滞している管として特定し、この管を色別表示する。
【００７０】
管の近傍の超音波流量計の流れ向きと、過去の流れ向きとを比較して、流れ向きが変わったかどうかを判断し、流れ向きが変わった場合は、その管を色別表示する。
【００７１】
さらに、配水池における塩素量を入力させ、この塩素量と幹線からのブロックへの流入量とブロックからの流出量との差、年度から残塩濃度を計算する。
【００７２】
次に、これらの結果を画面に表示する（Ｓ３５）。そして、ブロックの修正指示があったときは、上記のように修正されたブロックの軌跡データを保存して初期ブロックの軌跡をこの軌跡データに修正して保存する（Ｓ３６）。
【００７３】
また、図１３に示すように、目的とする地域の管網データ番号を入力して管網図を表示させる。そして、予め設定されている流量ブロックを重ね合わせ表示させる（Ｓ４１、Ｓ４２、Ｓ４３）。
【００７４】
そして、配水池からの基幹をたどり、各基幹に接続された管路をたどることで水供給地区を計算し、この水供給地区をブロック化して色別表示する（Ｓ４５、Ｓ４６）。また、このブロックに誤り等があればオペレータ入力によってブロックを修正する（Ｓ４７）。
【００７５】
前述の停滞水発生管路の特定は、多数の需要量データ（日最大流量、日平均流量、日最小流量）に対して連続的に管網計算を繰り返し行い、流量の小さい管路や流方向の変化する管路を抽出し、停滞水の発生している可能性が高い管路を管路を特定して画面に表示するのが好ましい。
【００７６】
また、水圧分布は、ブロックの色別に代えて、管の水圧の高低差により、その管を色別表示してもよい。
【００７７】
さらに、残塩分布は、管の流速と貯水池の投入塩素とを元に、末端までの残塩濃度を管毎に求め、その濃度に応じた色を管に割り付け表示してもよい。
【００７８】
なお、上記実施の形態では、ブロックというのを超音波流量計で囲まれていることを条件としたが、超音波流量計が存在しないエリアをブロックとしてオペレータに設定させても良い。
【図面の簡単な説明】
【００７９】
【図１】本実施の形態１の水運用管理システムの概略構成図である。
【図２】本実施の形態のデータベースに保存されるデータの説明図である。
【図３】本実施の形態の各ブロックに割り当てられるデータの説明図である。
【図４】基本データの具体例を説明する説明図である。
【図５】実施の形態２の水運用管理システムの概略構成図である。
【図６】実施の形態２の動作を説明するフローチャートである。
【図７】本実施の形態２のブロック修正を説明する説明図である。
【図８】本実施の形態２のブロック修正を説明する説明図である。
【図９】本実施の形態２のブロック修正を説明する説明図である。
【図１０】本実施の形態２のメッシュ単位のブロック修正を説明するフローチャートである。
【図１１】ブロック内メッシュの生成を説明する説明図である。
【図１２】他の実施の形態の動作を説明するフローチャートである。
【図１３】他の実施の形態の動作を説明するフローチャートである。
【符号の説明】
【００８０】
１０  測定データ整理部
１１  ブロック別圧力算出部
１２  ブロック内管路危険度評価部
１３  ブロック色別表示部
１４  ブロック修正部
【図１】
2005149280.tif 000003
【図２】
2005149280.tif 000004
【図３】
2005149280.tif 000005
【図４】
2005149280.tif 000006
【図５】
2005149280.tif 000007
【図６】
2005149280.tif 000008
【図７】
2005149280.tif 000009
【図８】
2005149280.tif 000010
【図９】
2005149280.tif 000011
【図１０】
2005149280.tif 000012
【図１１】
2005149280.tif 000013
【図１２】
2005149280.tif 000014
【図１３】
2005149280.tif 000015